(57)【特許請求の範囲】
【請求項１】
放送局から到来する、放送番組及びこの放送番組に多重化されたデータを含む放送電波を受信する受信手段と、
この受信手段にて受信された放送電波から番組識別データを検出する識別データ検出手段と、
前記受信手段に対して受信周波数を順次に変更して各放送局の放送電波を順次に受信させるシーク動作を実行するシーク手段と、
このシーク動作中に放送局の放送電波を受信したことを検出する有局検出手段と、
前記番組識別データを複数記憶可能な記憶手段と、
所定操作に応じて、前記シーク手段にシーク動作を実行させ、シーク動作直前の番組識別データを前記記憶手段に記憶し、シーク動作中に前記有局検出手段にて検出された放送局の番組識別データが前記記憶手段に記憶されたいずれかの番組識別データと一致すれば、このシーク動作を継続する制御手段とを有する多重放送用受信装置であって、
所定時間を計時するタイマーを有し、
前記制御手段は、シーク動作中に検出された放送局の番組識別データと記憶手段に記憶ている全ての番組識別データとが不一致であれば、前記タイマーをスタートして、所定時間経過前に前記所定操作を検出すると、このシーク動作中に検出された放送局の番組識別データを前記記憶手段に記憶して、前記シーク手段にシーク動作を再び実行させることを特徴とする多重放送用受信装置。
【請求項２】
前記制御手段は、シーク動作中に検出された放送局の番組識別データと記憶手段に記憶されている全ての番組識別データとが不一致であれば、前記タイマーをスタートして所定時間を経過すると、動作中のシーク動作を停止して、前記記憶手段に記憶中の番組識別データを消去することを特徴とする請求項１記載の多重放送用受信装置。
【請求項３】
放送局から到来する、放送番組及びこの放送番組に多重化されたデータを含む放送電波を受信する受信手段と、
この受信手段にて受信された放送電波から番組識別データを検出する識別データ検出手段と、
前記受信手段に対して受信周波数を順次に変更して各放送局の放送電波を順次に受信させるシーク動作を実行するシーク手段と、
このシーク動作中に放送局の放送電波を受信したことを検出する有局検出手段と、
前記番組識別データを複数記憶可能な記憶手段と、
所定操作に応じて、前記シーク手段にシーク動作を実行させ、シーク動作直前の番組識別データを前記記憶手段に記憶し、シーク動作中に前記有局検出手段にて検出された放送局の番組識別データが前記記憶手段に記憶されたいずれかの番組識別データと一致すれば、このシーク動作を継続する制御手段とを有する多重放送用受信装置であって、
設定時間を計時する設定タイマーを有し、
前記制御手段は、前記所定操作に応じて、前記設定タイマーをスタートすると共に、前記シーク手段にシーク動作を実行させ、この設定時間を経過すると、前記記憶手段に記憶中の番組識別データを消去することを特徴とする多重放送用受信装置。
【発明の詳細な説明】
【０００１】
【発明の属する技術分野】
本発明は、ラジオデータシステム（以下、単にＲＤＳと称する）放送等の多重放送を受信する多重放送用受信装置に関する。
【０００２】
【従来の技術】
従来、このようなＲＤＳ放送としては、主に欧州等で広く普及されており、ＦＭラジオ放送の放送電波に多重データを多重化しており、この多重データ中においては、例えば放送番組を識別する番組識別データ（以下、単にＰＩコードと称する）があり、この番組識別コードを受信側にて検出することができる。
【０００３】
このようなＲＤＳ放送を行っている欧州等においては、同一の放送番組を各国又は各地域の放送局にて放送しているので、受信側においては前記番組識別データを検出することにより、その番組内容を識別することができて、この番組識別データは非常に便利なサービスである。
【０００４】
このようなＲＤＳ放送を受信するＲＤＳ受信装置においては、例えば現在受信中の放送番組と異なる所望の放送番組を受信するような場合には、受信周波数を自動的に順次に切り換えるシーク動作を行うシーク機能を備えているのが通常である。
【０００５】
このようなシーク動作としては、シーク動作中に受信された放送電波の受信レベルが良好な場合、例えば受信中の放送電波におけるシグナルメータ電圧等が所定レベル値以上の場合に、この放送電波の有局検出を行うものである。
【０００６】
しかしながら、このような欧州等においては、同一地域内においても同一番組を放送していることが多々あるために、ＲＤＳ受信装置におけるシーク動作を行った場合、シーク動作直前、つまり現在受信中の放送番組と同一の放送番組であっても、その受信周波数でシーク動作を停止して同一の放送番組を受信してしまうので、所望の放送番組をなかなか受信することができず、しかも逐次にシーク動作を促すキー入力操作を行わなければならず、非常に操作性が良くないといった事態が発生した。
【０００７】
そこで、このような事態に対処すべく出願人は特開昭６４−６７０３７号に示すようなＲＤＳ受信装置を考案している。
【０００８】
このようなＲＤＳ受信装置は、シーク動作を促すキー入力操作を行うと、シーク動作直前の放送番組に対応するＰＩコードを記憶しておき、このシーク動作中に放送番組を有局検出する、つまりシークすると、現在記憶中のＰＩコードとシークされたＰＩコードとを比較し、これらのＰＩコードが同一であると、現在動作中のシーク動作を停止せずにシーク動作を継続する、言い換えれば記憶中のＰＩコードと異なるＰＩコードが検出されるまでシーク動作を継続するようにしている。
【０００９】
従って、このようなＲＤＳ受信装置によれば、シーク動作中に、シーク動作直前の放送番組と同一の放送番組をシークしたとしても、現在動作中のシーク動作を停止せずに継続し、シーク動作直前の放送番組と異なる放送番組をシークした場合において現在動作中のシーク動作を停止するようにしたので、シーク動作を促すキー入力操作の回数を減らすことにより、その操作性を良好にすることができる。
【００１０】
【発明が解決しようとする課題】
上記従来の多重放送用受信装置であるＲＤＳ受信装置によれば、例えば図６に示すようにシーク動作の順番が周波数の小さい方から受信周波数Ｆ１，Ｆ２，Ｆ３，Ｆ４，Ｆ５，Ｆ６とし、受信周波数Ｆ１，Ｆ２，Ｆ４を放送番組ＰＩ１、受信周波数Ｆ３，Ｆ５を放送番組ＰＩ２、Ｆ６を放送番組ＰＩ３とした放送設定で、ユーザーの所望の放送番組をＰＩ３とした場合、第１回目のシーク動作時においては、まず現在受信中の受信周波数Ｆ１、つまりシーク動作直前の放送番組ＰＩ１のＰＩコードを記憶し、次にシーク動作にて受信周波数Ｆ２の放送番組ＰＩ１を検出するのであるが、前記受信周波数Ｆ１の放送番組と同一であるためにシーク動作を継続し、次に受信周波数Ｆ３の放送番組ＰＩ２を検出すると、現在記憶中のＰＩコード（受信周波数Ｆ１の放送番組ＰＩ１）と異なるので、現在動作中のシーク動作を受信周波数Ｆ３にて停止する。
【００１１】
次に第２回目のシーク動作を行い、このシーク動作直前の受信周波数Ｆ３の放送番組ＰＩ２のＰＩコードを記憶更新し、このシーク動作にて受信周波数Ｆ４の放送番組ＰＩ１を検出すると、この放送番組ＰＩ１が現在記憶中のＰＩコード  （受信周波数Ｆ３の放送番組ＰＩ２）と異なるので、現在動作中のシーク動作を受信周波数Ｆ４にて停止する。
【００１２】
このようにして第３回目乃至第４回目のシーク動作を行い、第４回目のシーク動作により、このシーク動作直前の受信周波数Ｆ５の放送番組ＰＩ２のＰＩコードを記憶更新し、このシーク動作にて受信周波数Ｆ６の放送番組ＰＩ３を検出すると、この放送番組ＰＩ３が現在記憶中のＰＩコード（受信周波数Ｆ５の放送番組ＰＩ２）と異なるので、現在動作中のシーク動作を受信周波数Ｆ６にて停止する。
【００１３】
上記一連の動作により、図６に示すような放送設定で放送番組ＰＩ３を受信する場合には、４回目のシーク動作で所望の放送番組ＰＩ３を受信することができる。
【００１４】
しかしながら、このようなＲＤＳ受信装置によれば、シーク動作直前の放送番組と同一の放送番組をシークしたとしても、現在動作中のシーク動作を停止せずに継続するようにしたが、飽くまでもシーク動作直前の放送番組と同一の放送番組のみを対象としているために、図６に示すような放送設定で所望の放送番組ＰＩ３をシークするような場合には、所望の放送番組をなかなか受信することができず、しかも、幾度もシーク動作を促す入力操作が必要であり、非常に操作性が良くないといった問題点があった。
【００１５】
本発明は上記問題点に鑑みてなされたものであり、その目的とするところは、同一番組を多く設定している放送地域であっても、所望の放送番組を迅速に受信することができ、しかも、その操作性を良好にした多重放送用受信装置を提供することにある。
【００１６】
【課題を解決するための手段】
上記目的を達成するために本発明の多重放送用受信装置における第１の発明は、放送局から到来する、放送番組及びこの放送番組に多重化されたデータを含む放送電波を受信する受信手段と、この受信手段にて受信された放送電波から番組識別データを検出する識別データ検出手段と、前記受信手段に対して受信周波数を順次に変更して各放送局の放送電波を順次に受信させるシーク動作を実行するシーク手段と、このシーク動作中に放送局の放送電波を受信したことを検出する有局検出手段と、前記番組識別データを複数記憶可能な記憶手段と、所定操作に応じて、前記シーク手段にシーク動作を実行させ、シーク動作直前の番組識別データを前記記憶手段に記憶し、シーク動作中に前記有局検出手段にて検出された放送局の番組識別データが前記記憶手段に記憶されたいずれかの番組識別データと一致すれば、このシーク動作を継続する制御手段とを有する多重放送用受信装置であって、所定時間を計時するタイマーを有し、前記制御手段は、シーク動作中に検出された放送局の番組識別データと記憶手段に記憶されている全ての番組識別データとが不一致であれば、前記タイマーをスタートして所定時間経過前に前記所定操作を検出すると、このシーク動作中に検出された放送局の番組識別データを前記記憶手段に記憶して、前記シーク手段にシーク動作を再び実行させることを特徴とする。
【００１７】
この多重放送用受信装置は、例えばＲＤＳ放送等の多重放送を受信するＲＤＳ受信装置に相当するものである。
【００１８】
前記受信手段は受信アンテナやフロントエンド部に相当するものであり、前記識別データ検出手段はＲＤＳ放送中の多重データを解読するＲＤＳ復調回路に相当するものであり、前記有局検出手段は、例えばＩＦ検波回路にてシグナルメータ電圧やＩＦカウンター信号等を利用して受信レベルが所定値以上であるか否かを検出するものであり、前記制御手段は装置全体を制御するＣＰＵに相当するものであり、前記シーク手段はＣＰＵからの指令に応じて前記フロントエンド部の受信周波数を切り換えるＰＬＬ回路に相当するものであり、前記記憶手段は例えばＲＡＭに相当するものである。
【００１９】
また、前記識別データ検出手段にて検出される番組識別データは、放送番組を識別するＰＩコードに相当するものである。
【００２０】
前記シーク動作直前の番組識別データとは、前記所定操作、つまりシーク動作を促すキー入力操作時に受信中の放送番組に係わるＰＩコードに相当するものである。
【００２１】
従って、第１の発明における多重放送用受信装置によれば、シーク動作中に検出された放送局の番組識別データと記憶手段に記憶されている全ての番組識別データとが不一致であれば、前記タイマーをスタートして所定時間経過前に前記所定操作を検出すると、このシーク動作中に検出された放送局の番組識別データを前記記憶手段に記憶して、前記シーク手段にシーク動作を再び実行させるようにした、つまりシーク動作直前の放送番組だけでなく、シーク動作中に検出された不一致の放送番組の番組識別データをも記憶手段に追加記憶することにより、記憶手段に記憶中の番組識別データと同一の放送番組を受信したとしても、シーク動作を停止せずに継続するようにしたので、図６に示すような放送設定で所望の放送番組をシークするような場合であっても所望の放送番組を迅速に受信することができ、しかも、シーク動作を促す入力操作回数も最小限に抑えることができ、その操作性を良好にすることができる。
【００２２】
また、第２の発明における多重放送用受信装置は、第１の発明の構成に加えて、前記制御手段が、シーク動作中に検出された放送局の番組識別データと記憶手段に記憶されている全ての番組識別データとが不一致であれば、前記タイマーをスタートして所定時間を経過すると、動作中のシーク動作を停止して、前記記憶手段に記憶中の番組識別データを消去することを特徴とする。
【００２３】
従って、第２の発明における多重放送用受信装置によれば、第１の発明の効果に加えて、シーク動作中に検出された放送局の番組識別データと記憶手段に記憶されている全ての番組識別データとが不一致であれば、前記タイマーをスタートして所定時間を経過すると、動作中のシーク動作を停止して、前記記憶手段に記憶中の番組識別データを消去するようにしたので、前記記憶手段に記憶中の番組識別データを何等操作を要せずとも自動的に消去することができ、その操作性を良好にすることができる。
【００２４】
また、第３の発明における多重放送用受信装置は、放送局から到来する、放送番組及びこの放送番組に多重化されたデータを含む放送電波を受信する受信手段と、この受信手段にて受信された放送電波から番組識別データを検出する識別データ検出手段と、前記受信手段に対して受信周波数を順次に変更して各放送局の放送電波を順次に受信させるシーク動作を実行するシーク手段と、このシーク動作中に放送局の放送電波を受信したことを検出する有局検出手段と、前記番組識別データを複数記憶可能な記憶手段と、所定操作に応じて、前記シーク手段にシーク動作を実行させ、シーク動作直前の番組識別データを前記記憶手段に記憶し、シーク動作中に前記有局検出手段にて検出された放送局の番組識別データが前記記憶手段に記憶されたいずれかの番組識別データと一致すれば、このシーク動作を継続する制御手段とを有する多重放送用受信装置であって、設定時間を計時する設定タイマーを有し、前記制御手段は、前記所定操作に応じて、前記設定タイマーをスタートすると共に、前記シーク手段にシーク動作を実行させ、この設定時間を経過すると、前記記憶手段に記憶中の番組識別データを消去することを特徴とする。
【００２５】
尚、第１および第２の発明にて説明した所定時間は、現在動作中のシーク動作を継続するか否かを監視の対象としているが、この第３の発明における設定時間は、シーク動作中に記憶手段に記憶中の番組識別データを消去するか否かを監視の対象としている。また、この設定時間は、例えば１２０ｓｅｃ程度にするのが良い。
【００２６】
従って、第３の発明における多重放送用受信装置によれば、所定操作に応じて設定タイマーをスタートさせ、この設定タイマーの設定時間が経過すると、シーク動作中であっても記憶手段に記憶中の番組識別データを自動的に消去するようにしたので、例えば現在放送中の放送局に係わる全ての番組識別データを記憶手段に記憶してしまうことにより、シーク動作にて放送局を受信することができないといった事態にも対処することができる。
【００２７】
【発明の実施の形態】
以下、図面に基づいて本発明の多重放送用受信装置の実施形態を示すＲＤＳ受信装置について説明する。図１は本実施形態を示すＲＤＳ受信装置内部の概略構成を示すブロック図である。
【００２８】
図１においてＲＤＳ受信装置は、放送局から到来する放送電波を受信する受信アンテナ１と、後述するＰＬＬ回路２から出力される電圧に基づいて放送局の放送電波に同調する中間周波数信号を出力するフロントエンド部３と、この中間周波数信号を増幅して、シグナルメーター電圧及びＩＦカウンター信号を出力すると共に、前記中間周波数信号をＦＭ復調して、オーディオ信号として出力するＩＦ検波回路４と、このオーディオ信号に含まれるパルスノイズをキャンセルし、ステレオ復調してステレオ信号を出力するＮＣ／ＭＰＸ回路５と、このステレオ信号の信号レベルを可変することにより、このステレオ信号にかけるミュートをＯＮ／ＯＦＦさせるＶｏｌ／Ｍｕｔｅ回路６と、このＶｏｌ／Ｍｕｔｅ回路６を介してのステレオ信号を増幅するアンプ回路７と、このアンプ回路７にて増幅されたステレオ信号を音声出力するスピーカ８と、前記ＩＦ検波回路４のオーディオ信号からＲＤＳデータを復調し、出力するＲＤＳ復調回路９と、様々なＲＤＳ受信装置に係わる指令、例えばシーク動作指令を入力する操作キー１０と、このＲＤＳ受信装置全体を制御するＣＰＵ１１とを有している。
【００２９】
前記ＲＤＳ復調回路９の内部には、５７ｋＨｚのＢＰＦ回路を有し、このＢＰＦ回路にてオーディオ信号から５７ｋＨｚの副搬送波を通過させることにより、ＲＤＳデータを復調させるものである。
【００３０】
前記ＣＰＵ１１は、前記ＲＤＳデータ及び周波数等を記憶するＲＡＭ１１ａ等を内蔵すると共に、所定の放送局を同調させるようにＰＬＬ回路２を介してフロントエンド部３に直流電圧を出力させるものである。
【００３１】
また、ＣＰＵ１１は、前記ＩＦ検波回路４からのシグナルメーター電圧やＩＦカウンター信号等の受信レベル値をそれぞれ記憶し、これらの受信レベル値が所定レベル値以上にあるか否かを判別する比較動作等をも行っている。
【００３２】
また、前記ＣＰＵ１１は、前記Ｖｏｌ／Ｍｕｔｅ回路６におけるＯＮ／ＯＦＦを制御しているものとする。
【００３３】
次に、このようなＲＤＳ受信装置の動作について説明する。図２は本発明のＲＤＳ受信装置のシーク動作処理におけるＣＰＵ１１の処理動作を示すフローチャートである。
【００３４】
このシーク動作処理とは、シーク動作直前の放送番組のＰＩコードだけでなく、シーク動作中に検出された不一致の放送番組のＰＩコードをもＲＡＭ１１ａに記憶することにより、ＲＡＭ１１ａに記憶されたいずれかのＰＩコードと同一の放送番組を受信したとしても、シーク動作を停止せずに継続すると共に、シーク動作中に検出された放送局のＰＩコードとＲＡＭ１１ａに記憶された全てのＰＩコードとが不一致であれば、タイマーをスタートして所定時間を経過すると、動作中のシーク動作を停止して、前記ＲＡＭ１１ａに記憶中のＰＩコードを消去するようにした処理である。
【００３５】
図２においてＣＰＵ１１は、前記操作キー１０によるシーク動作を促すシークキーを入力すると（ステップＳ１）、現在受信中の放送番組に係わるＰＩコードをＲＡＭ１１ａに記憶し（ステップＳ２）、Ｖｏｌ／Ｍｕｔｅ回路６のミュートをＯＮにし（ステップＳ３）、現在受信中の受信周波数を１ステップだけシークアップし（ステップＳ４）、このシークアップにて受信された放送局のシグナルメーター電圧が所定レベル値以上あるか、つまり現在受信中の放送局のＳＤ信号がＯＫ又はＮＧかを判定する（ステップＳ５）。尚、ステップＳ４においては、受信周波数を１ステップづつアップさせるシークアップを行うようにしたが、これはシークキーの入力操作によって決定されるものであり、受信周波数を１ステップづつダウンさせるシークダウンを行うようにしても良い。
【００３６】
ステップＳ５にて現在受信中の放送局のＳＤ信号がＯＫであれば、現在受信中の放送局のＩＦカウンター信号のカウンター値が所定レベル値以上であるか否か、つまりＩＦカウンター信号がＯＫ又はＮＧかを判定する（ステップＳ６）。このＩＦカウンター信号がＯＫであれば、現在受信中の放送局がＲＤＳ局であるか否かを判定する（ステップＳ７）。現在受信中の放送局がＲＤＳ局でなければ、ミュートＯＮ中のＶｏｌ／Ｍｕｔｅ回路６のミュートをＯＦＦとし（ステップＳ８）、前記ＣＰＵ１１内部のタイマーをスタートし（ステップＳ９）、このタイマーがタイムアップしたか否かを判定する（ステップＳ１０）。このタイマーがタイムアップしたのでなければ、前記シークキーが入力されたか否かを判定する（ステップＳ１１）。このタイマーの計測時間中にシークキーが入力されたのであれば、この受信中のＰＩコードを前記ＲＡＭ１１ａに追加記憶し（ステップＳ１２）、ステップＳ３に移行する。尚、ステップＳ１２においては現在受信中の放送局におけるＰＩコードをＲＡＭ１１ａに追加記憶するのであるが、現在受信中の放送局がＲＤＳ局、つまりＰＩコードを送信する放送局であることに限ることは言うまでもない。
【００３７】
また、ステップＳ７にて現在受信中の放送局がＲＤＳ局であれば、この放送局のＰＩコードが前記ＲＡＭ１１ａに記憶中のＰＩコードに一致するか否かを判定する（ステップＳ１３）。現在受信中の放送局がＲＡＭ１１ａに記憶中のＰＩコードと一致するのでなければ、ステップＳ８に移行する。
【００３８】
また、ステップＳ５にてＳＤ信号がＮＧ、又はステップＳ６にてＩＦカウンター信号がＮＧ、又はステップＳ１４にて現在受信中の放送局がＲＡＭ１１ａに記憶中のＰＩコードと一致するのであれば、ステップＳ４に移行する。
【００３９】
また、ステップＳ１１にてタイマー計測時間中にシークキーが入力されたのでなければ、ステップＳ１０に移行する。
【００４０】
また、ステップＳ１０にてタイムアップしたのであれば、現在ＲＡＭ１１ａに記憶中のＰＩコードを消去し（ステップＳ１４）、このシーク動作処理を終了する。
【００４１】
では、図５に基づいてシーク動作処理を具体的に説明する。図５は本発明のシーク動作処理に係わるシーク動作回数を端的に示す説明図である。尚、図５の放送設定は図６の放送設定と同一であり、所望放送局も放送番組ＰＩ３で同一である。
【００４２】
第１回目のシーク動作時においては、まず現在受信中の受信周波数Ｆ１、つまりシーク動作直前の放送番組ＰＩ１のＰＩコードを前記ＲＡＭ１１ａに記憶し、次にシーク動作にて受信周波数Ｆ２の放送番組ＰＩ１を検出するのであるが、前記ＲＡＭ１１ａに記憶中の受信周波数Ｆ１の放送番組と同一であるためにシーク動作を継続し、次に受信周波数Ｆ３の放送番組ＰＩ２を検出すると、現在記憶中のＰＩコード（受信周波数Ｆ１の放送番組ＰＩ１）と異なるので、現在動作中のシーク動作を受信周波数Ｆ３にて停止する。
【００４３】
次に第２回目のシーク動作を行い、このシーク動作直前の受信周波数Ｆ３の放送番組ＰＩ２のＰＩコードをＲＡＭ１１ａに追加記憶する。尚、この際、ＲＡＭ１１ａには、先に記憶中の放送番組ＰＩ１及びＰＩ２のＰＩコードが記憶されたこととなる。
【００４４】
このシーク動作にて受信周波数Ｆ４の放送番組ＰＩ１を検出すると、前記ＲＡＭ１１ａに記憶中の放送番組ＰＩ１と現在受信中の放送番組とが同一であるために、現在動作中のシーク動作を継続する。
【００４５】
このシーク動作にて受信周波数Ｆ５の放送番組ＰＩ２を検出すると、前記ＲＡＭ１１ａに記憶中の放送番組ＰＩ２と現在受信中の放送番組とが同一であるために、現在動作中のシーク動作を継続する。
【００４６】
このシーク動作にて受信周波数Ｆ６の放送番組ＰＩ３を検出すると、前記ＲＡＭ１１ａに記憶中の放送番組とこの放送番組ＰＩ３とは異なるので、現在動作中のシーク動作を受信周波数Ｆ６にて停止する。
【００４７】
このような一連の動作を行うことにより、図５に示すような放送設定であっても、従来なら４回のシーク動作を行わなければならなかったのが、２回のシーク動作で済む。
【００４８】
従って、図２に示すシーク動作処理によれば、シーク動作中に検出された放送局のＰＩコードとＲＡＭ１１ａに記憶された全てのＰＩコードとが不一致であれば、前記タイマーをスタートして所定時間経過前に前記所定操作を検出すると、このシーク動作中に検出された放送局のＰＩコードを前記ＲＡＭ１１ａに記憶して、前記タイマーをクリアし、前記シーク動作を再び実行させるようにした、つまりシーク動作直前の放送番組だけでなく、シーク動作中に検出された不一致の放送番組のＰＩコードをもＲＡＭ１１ａに記憶することにより、ＲＡＭ１１ａに記憶中のＰＩコードと同一の放送番組を受信したとしても、シーク動作を停止せずに継続するようにしたので、図５に示すような放送設定で所望の放送番組をシークするような場合であっても所望の放送番組を迅速に受信することができ、しかも、シーク動作を促す入力操作回数も最小限に抑えることができ、その操作性を良好にすることができる。
【００４９】
また、シーク動作中に検出された放送局のＰＩコードとＲＡＭ１１ａに記憶された全てのＰＩコードとが不一致であれば、前記タイマーをスタートして所定時間を経過すると、動作中のシーク動作を停止して、前記ＲＡＭ１１ａに記憶中のＰＩコードを消去するようにしたので、前記ＲＡＭ１１ａに記憶中のＰＩコードを何等操作を要せずとも自動的に消去することができ、その操作性を良好にすることができる。
【００５０】
しかしながら、図２に示すシーク動作処理によれば、現在放送中の全ての放送局のＰＩコードをシーク動作中にＲＡＭ１１ａに記憶した場合には、継続中のシーク動作にてＰＩコードを検出することができなくなってしまうといった事態も考えられる。
【００５１】
そこで、このような事態に対処するために、次に説明するような実施の形態におけるシーク動作処理を付け加えるようにしても良い。
【００５２】
では、次に他の実施形態におけるシーク動作処理について説明する。図３は他の実施形態のシーク動作処理におけるＣＰＵ１１の処理動作を示すフローチャートである。
【００５３】
図３においてＣＰＵ１１は、前記シークキーを入力すると（ステップＳ２１）、前記Ｖｏｌ／Ｍｕｔｅ回路６のミュートをＯＮし（ステップＳ２２）、現在受信中の放送局におけるＰＩコードを前記ＲＡＭ１１ａに記憶し（ステップＳ２３）、タイマー計測中であるか否かを判定する（ステップＳ２４）。タイマー計測中でなければ、タイマーをスタートし（ステップＳ２５）、タイムアップしたか否かを判定する（ステップＳ２６）。
【００５４】
尚、ここでのタイマーは、前述した図２に示すステップＳ９のタイマーとは異なるものであり、ステップＳ９のタイマーは現在動作中のシーク動作を継続するか否かを判別するためのものであり、この図３のステップＳ２５におけるタイマーはシーク動作中にＲＡＭ１１ａに記憶中のＰＩコードを消去するか否かを判別するためのものである。また、ステップＳ２６にてタイムアップしたか否かを判定する方法としては、後述するタイムアップフラグが出力されたか否かを判別するだでけでよい。
【００５５】
また、このタイマーは例えば１２０ｓｅｃに設定しておくのが最良である。
【００５６】
現在計測中のタイマーがタイムアップしたのであれば、現在ＲＡＭ１１ａに記憶中のＰＩコードを全て消去し（ステップＳ２７）、現在受信中の受信周波数を１ステップづつシークアップさせ（ステップＳ２８）、このシークアップにて受信中の放送局におけるＳＤ信号がＮＧ又はＯＫであるかを判定する（ステップＳ２９）。尚、ステップＳ２８においては、受信周波数を１ステップづつアップさせるシークアップを行うようにしたが、これはシークキーの入力操作によって決定されるものであり、受信周波数を１ステップづつダウンさせるシークダウンを行うようにしても良い。
【００５７】
ステップＳ２９にて現在受信中の放送局のＳＤ信号がＯＫであれば、この放送局のＩＦカウンター信号がＯＫ又はＮＧであるかを判定する（ステップＳ３０）。このＩＦカウンター信号がＯＫであれば、この放送局がＲＤＳ局であるか否かを判定する（ステップＳ３１）。
【００５８】
この放送局がＲＤＳ局であれば、このＲＤＳ局のＰＩコードが前記ＲＡＭ１１ａに記憶中のＰＩコードと一致するか否かを判定する（ステップＳ３２）。このＲＡＭ１１ａに記憶中のＰＩコードと一致するのでなければ、前記Ｖｏｌ／Ｍｕｔｅ回路６のミュートをＯＦＦし（ステップＳ３３）、現在受信中の放送局におけるＰＩコードを前記ＲＡＭ１１ａに追加記憶し（ステップＳ３４）、このシーク動作処理を終了する。
【００５９】
また、ステップＳ２４にてタイマーが計測中であれば、ステップＳ２６に移行する。ステップＳ２６にてタイマーがタイムアップしたのでなければ、ステップＳ２８に移行する。
【００６０】
また、ステップＳ３１にて現在受信中の放送局がＲＤＳ局でなければ、ステップＳ３３に移行する。
【００６１】
また、ステップＳ２９にてＳＤ信号がＮＧ、ステップＳ３０にてＩＦカウンタ信号がＮＧ、又はステップＳ３２にてＲＡＭ１１ａに記憶中のＰＩコードと合致しているのであれば、ステップＳ２６に移行する。
【００６２】
図４はステップＳ２５にてスタート中のタイマーに係わるタイマースタート処理におけるＣＰＵ１１の処理動作を示すフローチャートである。
【００６３】
図４においてＣＰＵ１１は、ステップＳ２５の動作中にカウント動作を開始し（ステップＳ４１）、このカウント値が所定値以上であるか否かを判定する（ステップＳ４２）。このカウント値が所定値以上であれば、タイムアップフラグを出力し（ステップＳ４３）、この処理動作を終了する。
【００６４】
従って、他の実施形態におけるＲＤＳ受信装置によれば、シーク動作を促すシークキーの入力と同時にタイマーをスタートさせ、このタイマーがタイムアップすると、シーク動作中であってもＲＡＭ１１ａに記憶中のＰＩコードを自動的に消去するようにしたので、例えばシーク動作中に現在放送中の全ての放送局に係わるＰＩコードがＲＡＭ１１ａに記憶されたとしても、タイマー時間の経過に伴ってシーク動作にて放送局の受信を可能とすることができる。
【００６５】
【発明の効果】
上記のように構成された本発明の第１の発明における多重放送用受信装置によれば、シーク動作中に検出された放送局の番組識別データと記憶手段に記憶された全ての番組識別データとが不一致であれば、タイマーをスタートして所定時間経過前に前記所定操作を検出すると、このシーク動作中に検出された放送局の番組識別データを前記記憶手段に記憶して、前記シーク動作を再び実行するようにした、つまりシーク動作直前の放送番組だけでなく、シーク動作中に検出された不一致の放送番組の番組識別データをも記憶手段に追加記憶することにより、記憶手段に記憶中の番組識別データと同一の放送番組を受信したとしても、シーク動作を停止せずに継続するようにしたので、図６に示すような放送設定で所望の放送番組をシークするような場合であっても所望の放送番組を迅速に受信することができ、しかも、シーク動作を促す入力操作回数も最小限に抑えることができ、その操作性を良好にすることができる。
【００６６】
また、第２の発明における多重放送用受信装置によれば、第１発明の効果に加えて、シーク動作中に検出された放送局の番組識別データと記憶手段に記憶されている全ての番組識別データとが不一致であれば、前記タイマーをスタートして所定時間を経過すると、動作中のシーク動作を停止して、前記記憶手段に記憶中の番組識別データを消去するようにしたので、前記記憶手段に記憶中の番組識別データを何等操作を要せずとも自動的に消去することができ、その操作性を良好にすることができる。
【００６７】
また、第３の発明における多重放送用受信装置によれば、所定操作に応じて設定タイマーをスタートさせ、この設定タイマーの設定時間が経過すると、シーク動作中であっても記憶手段に記憶中の番組識別データを自動的に消去するようにしたので、例えば現在放送中の放送局に係わる全ての番組識別データを記憶手段に記憶してしまうことにより、シーク動作にて放送局を受信することができないといった事態にも対処することができる。
【図面の簡単な説明】
【図１】本発明の多重放送用受信装置における実施形態を示すＲＤＳ受信装置内部の概略構成を示すブロック図である。
【図２】本実施形態であるＲＤＳ受信装置のシーク動作処理におけるＣＰＵの処理動作を示すフローチャートである。
【図３】他の実施形態であるＲＤＳ受信装置のシーク動作処理におけるＣＰＵの処理動作を示すフローチャートである。
【図４】他の実施形態に係わるシーク動作処理のタイマー処理におけるＣＰＵの処理動作を示すフローチャートである。
【図５】本発明のＲＤＳ受信装置におけるシーク動作処理に係わる動作回数を端的に示す説明図である。
【図６】従来技術のＲＤＳ受信装置におけるシーク動作処理に係わる動作回数を端的に示す説明図である。
【符号の説明】
１  受信アンテナ（受信手段）
２  ＰＬＬ回路（受信手段、シーク手段）
３  フロントエンド部（受信手段、シーク手段）
４  ＩＦ検波回路（有局検出手段）
９  ＲＤＳ復調回路（識別データ検出手段）
１０  キー操作部
１１  ＣＰＵ（タイマー、設定タイマー、制御手段）
１１ａ  ＲＡＭ（記憶手段）
【図１】
0003608589.tif 000002
【図２】
0003608589.tif 000003
【図３】
0003608589.tif 000004
【図４】
0003608589.tif 000005
【図５】
0003608589.tif 000006
【図６】
0003608589.tif 000007